(57)【要約】【課題】ケーブルの接続状態に応じた処理を行うことを目的とする。【解決手段】第１のケーブルを介して外部機器へ操作信号を出力し、さらに、前記操作信号に応じて前記外部機器から出力されるデータを第２のケーブルを介して取得する電子機器において、前記電子機器は、制御部を備え、前記制御部は、前記第１のケーブルが正常に接続されているか否か、及び、前記第２のケーブルが正常に接続されているか否かを判定し、判定結果に応じた処理を行うことを特徴とする。【選択図】図１
2012136133.tif 000002
【特許請求の範囲】
【請求項１】
第１のケーブルを介して外部機器へ操作信号を出力し、さらに、前記操作信号に応じて前記外部機器から出力されるデータを第２のケーブルを介して取得する電子機器において、
前記電子機器は、制御部を備え、
前記制御部は、前記第１のケーブルが正常に接続されているか否か、及び、前記第２のケーブルが正常に接続されているか否かを判定し、判定結果に応じた処理を行うことを特徴とする電子機器。
【請求項２】
前記第１のケーブルは、デジタル通信を行うためのケーブルであり、前記第２のケーブルは、アナログ通信を行うためのケーブルであることを特徴とする請求項１に記載の電子機器。
【請求項３】
前記第１のケーブルが正常に接続されているか否かの判定は、前記第１のケーブルが接続された際に前記外部機器から出力される応答信号に基づいて判定することを特徴とする請求項１又は請求項２に記載の電子機器。
【請求項４】
前記第２のケーブルが正常に接続されているか否かの判定は、前記第２のケーブル内の短絡線が短絡しているか否かに基づいて判定することを特徴とする請求項１〜請求項３の何れか１項に記載の電子機器。
【請求項５】
前記第１のケーブルが正常に接続されている場合、前記制御部は、前記第１のケーブルを介して外部機器から取得する外部機器の識別情報に基づき、該外部機器が第２のケーブルを介するデータを出力する外部機器か否かを判定し、該外部機器が第２のケーブルを介するデータを出力する外部機器である場合に、前記第２のケーブルが正常に接続されているか否かを判定することを特徴とする請求項１〜請求項４の何れか１項に記載の電子機器。
【請求項６】
前記電子機器は、表示部を備え、
前記第２のケーブルが正常に接続されているか否かに応じて、前記外部機器から前記第２のケーブルを介して取得するデータのリストを表示するためのアイコンの表示様態を変更することを特徴とする請求項１〜請求項５の何れか１項に記載の電子機器。
【請求項７】
前記電子機器は、入力部を備え、
前記第２のケーブルが正常に接続されている場合に、前記入力部を介して前記外部機器から前記第２のケーブルを介して取得するデータのリストを表示するためのアイコンが選択された場合、前記制御部は、前記外部機器から前記第２のケーブルを介して取得するデータのリストを前記表示部に表示することを特徴とする請求項６に記載の電子機器。
【請求項８】
前記電子機器は、入力部と、表示部を備え、
前記制御部は、前記第１のケーブルが正常に接続されている場合に、前記入力部を介して前記外部機器を示すアイコンが選択された場合、前記制御部は、前記第２のケーブルが正常に接続されているか否かに応じて、前記表示部に表示する前記外部機器から出力されるデータのリストを変更することを特徴とする請求項１〜請求項５の何れか１項に記載の電子機器。
【請求項９】
前記電子機器は、表示部と、音声出力部を備え、
前記制御部は、前記外部機器から出力されるデータに基づく表示を前記表示部に表示させる、及び／又は、前記外部機器から出力されるデータに基づく音声出力を前記音声出力部から出力させることを特徴とする請求項１〜請求項８の何れか１項に記載の電子機器。
【請求項１０】
前記外部機器から第２のケーブルを介して取得するデータは映像データ及び／又は音楽データであることを特徴とする請求項１〜請求項９の何れか１項に記載の電子機器。
【発明の詳細な説明】
【技術分野】
【０００１】
本発明は、電子機器に関し、特に、ケーブルを介して外部機器と接続される電子機器に関する。
【背景技術】
【０００２】
近年、車載用オーディオ装置やナビゲーション装置などの電子機器は、音楽データを記憶・再生する音楽再生装置（外部機器）とケーブルを介して接続され、音楽再生装置に記憶された音楽データ、又は、音楽再生装置に挿入されたＣＤ等の記憶媒体に記憶された音楽データを再生して、車載用オーディオ装置などが有するスピーカ、又は、車載用オーディオ装置が搭載された車内のスピーカから音楽を出力している。
【０００３】
ところで、このような音楽再生装置（外部機器）としては、例えば、ｉＰｏｄ（登録商標）などが考えられ、車載用オーディオ装置やナビゲーション装置などの電子機器とｉＰｏｄ（登録商標）などの音楽再生装置とを接続するケーブルには、ＵＳＢケーブルなどのシリアル通信を行うためのケーブルが考えられる。
【０００４】
ここで、車載用オーディオ装置やナビゲーション装置などの電子機器とケーブルを介して接続される音楽再生装置がｉＰｏｄ（登録商標）である場合、音楽データのみならず、映像データ（静止画・動画）を記憶・再生することが可能である。
【０００５】
しかしながら、ｉＰｏｄ（登録商標）は、映像データを外部機器（例えば、車載用オーディオ装置などの電子機器）へケーブルを介して出力する場合、シリアル通信などのデジタル通信ではなく、ｉＰｏｄ（登録商標）で再生（Ｄ／Ａ変換等）した映像データ（アナログ）を出力する。
【０００６】
そのため、車載用オーディオ装置などの電子機器にて、ｉＰｏｄ（登録商標）に記憶された映像データに基づく映像を表示する場合、上記のシリアル通信のためのＵＳＢケーブルのみならず、ｉＰｏｄ（登録商標）よりアナログ出力される映像データ（及び／又は音楽データ）を伝送するためのアナログ通信ケーブル（例えば、ＲＣＡケーブルなど）が必要となる。
【０００７】
上記のように、デジタル通信を行うためのＵＳＢケーブルと、アナログ通信を行うためのＲＣＡケーブルとを一体的に構成したケーブルとして下記の非特許文献１に開示されるケーブルが知られている。このケーブルにより、デジタル通信およびアナログ通信が可能となる。特に、デジタル通信を行うためのケーブルをＵＳＢ（Ｕｎｉｖｅｒｓａｌ Ｓｅｒｉａｌ Ｂｕｓ）で構成しているため、デジタル通信を高速で行うことが可能となる。
【０００８】
なお、下記の特許文献１（特開２００９−２５２２５０号公報）には、映像データを含む１以上のコンテンツを再生すべき旨の入力を受け付けていない場合、すなわち、楽曲データのみを再生すべき旨の入力を受け付けた場合、楽曲データのデジタル外部出力要求をコンテンツ記憶装置へ行い、映像データを含む１以上のコンテンツを再生すべき旨の入力を受け付けた場合、映像データのアナログ外部出力要求（又は楽曲映像データのアナログ外部出力要求）をコンテンツ記憶装置へ行うコンテンツ再生装置が開示されている。
【０００９】
これにより、映像データ（アナログ）と楽曲データ（デジタル）を続けて再生する場合において、デジタルとアナログとの処理の切り替えを行うことにより後から再生するデータの頭部分が再生されないという問題を解決している。
【先行技術文献】
【特許文献】
【００１０】
【特許文献１】特開２００９−２５２２５０号公報
【非特許文献】
【００１１】
【非特許文献１】http://www.clarion.com/jp/ja/products/2010/navigation/accessories/ipod/CCA      -750-500/jp-ja-product-pf#1259421222715.html
【発明の概要】
【発明が解決しようとする課題】
【００１２】
しかしながら、上記特許文献１に開示されるように、アナログ（映像データ）とデジタル（音楽データ）の両方を車載用オーディオ装置などの電子機器が取得するためには、上記非特許文献１に開示されるようなケーブルが正常に接続されていなければならない。
【００１３】
すなわち、例えば、デジタル通信を行うためのケーブルであるＵＳＢケーブルが正常にｉＰｏｄ（登録商標）および車載用オーディオ装置に接続されていても、アナログ通信を行うためのケーブル（例えば、ＲＣＡケーブルなど）が正常にｉＰｏｄ（登録商標）および車載用オーディオ装置に接続されていなければ、アナログ通信を行うことはできない。
【００１４】
このようにアナログ通信を行うことができない場合であれば、デジタル通信を行うためのケーブルを介して映像データのアナログ出力指示を行っても、ｉＰｏｄ（登録商標）から車載用オーディオ装置が映像データを取得することができない。そのため、例えば、ユーザからアナログ通信を必要とする映像データの表示要求を受け付けないなどの処理を行うことが好ましい。
【００１５】
そこで、本願発明では、外部機器（ｉＰｏｄ（登録商標）など）と第１の（デジタル通信を行うための）ケーブルおよび第２の（アナログ通信を行うための）ケーブルを介して接続される車載用オーディオ装置やナビゲーション装置などの電子機器において、第１の（デジタル通信を行うための）ケーブルおよび第２の（アナログ通信を行うためのケーブル）が正常に外部機器および電子機器に接続されているか否かを判定し、判定結果に応じた処理を行うことを目的とする。
【課題を解決するための手段】
【００１６】
前記課題を解決するために、本願の請求項１にかかる発明は、第１のケーブルを介して外部機器へ操作信号を出力し、さらに、前記操作信号に応じて前記外部機器から出力されるデータを第２のケーブルを介して取得する電子機器において、前記電子機器は、制御部を備え、前記制御部は、前記第１のケーブルが正常に接続されているか否か、及び、前記第２のケーブルが正常に接続されているか否かを判定し、判定結果に応じた処理を行うことを特徴とする。
【００１７】
これにより、第１のケーブルおよび第２のケーブルが正常に外部機器および電子機器に接続されているか否かを判定し、判定結果に応じた処理を行うことが可能となる。
【００１８】
さらに、本願発明では、前記第１のケーブルは、デジタル通信を行うためのケーブルであり、前記第２のケーブルは、アナログ通信を行うためのケーブルであることを特徴とする。
【００１９】
これにより、デジタル通信を行うためのケーブルおよびアナログ通信を行うためのケーブルが正常に外部機器および電子機器に接続されているか否かを判定し、判定結果に応じた処理を行うことが可能となる。
【００２０】
さらに、本願発明では、前記第１のケーブルが正常に接続されているか否かの判定は、前記第１のケーブルが接続された際に前記外部機器から出力される応答信号に基づいて判定することを特徴とする。
【００２１】
これにより、第１のケーブルが正常に接続されているか否かの判定をおこなうことができる。
【００２２】
さらに、本願発明では、前記第２のケーブルが正常に接続されているか否かの判定は、前記第２のケーブル内の短絡線が短絡しているか否かに基づいて判定することを特徴とする。
【００２３】
これにより、第２のケーブルが正常に接続されているか否かの判定をおこなうことができる。
【００２４】
さらに、本願発明では、前記第１のケーブルが正常に接続されている場合、前記制御部は、前記第１のケーブルを介して外部機器から取得する外部機器の識別情報に基づき、該外部機器が第２のケーブルを介するデータを出力する外部機器か否かを判定し、該外部機器が第２のケーブルを介するデータを出力する外部機器である場合に、前記第２のケーブルが正常に接続されているか否かを判定することを特徴とする。
【００２５】
これにより、第２のケーブルを介するデータを出力する外部機器が接続された場合にのみ第２のケーブルが正常に接続されているか否かを判定することができる。
【００２６】
さらに、本願発明の前記電子機器は、表示部を備え、前記第２のケーブルが正常に接続されているか否かに応じて、前記外部機器から前記第２のケーブルを介して取得するデータのリストを表示するためのアイコンの表示様態を変更することを特徴とする。
【００２７】
これにより、アイコンの表示様態を視認するだけで、第２のケーブルが正常に接続されているか否かをユーザが認識できる。
【００２８】
さらに、本願発明の前記電子機器は、入力部を備え、前記第２のケーブルが正常に接続されている場合に、前記入力部を介して前記外部機器から前記第２のケーブルを介して取得するデータのリストを表示するためのアイコンが選択された場合、前記制御部は、前記外部機器から前記第２のケーブルを介して取得するデータのリストを前記表示部に表示することを特徴とする。
【００２９】
これにより、第２のケーブルが正常に接続されている場合に、外部機器から前記第２のケーブルを介して取得するデータのリストをユーザが視認できる。
【００３０】
さらに、本願発明の前記電子機器は、入力部と、表示部を備え、前記制御部は、前記第１のケーブルが正常に接続されている場合に、前記入力部を介して前記外部機器を示すアイコンが選択された場合、前記制御部は、前記第２のケーブルが正常に接続されているか否かに応じて、前記表示部に表示する前記外部機器から出力されるデータのリストを変更することを特徴とする。
【００３１】
これにより、外部機器を示すアイコンを選択した場合に、例えば、第２のケーブルが正常に接続されていれば、外部機器から第２のケーブルを介して取得するデータのリストをユーザが視認でき、また、第２のケーブルが正常に接続されていなければ、外部機器から第２のケーブルを介して取得するデータのリストをユーザが視認できないようにすることが可能となる。
【００３２】
さらに、本願発明の前記電子機器は、表示部と、音声出力部を備え、前記制御部は、前記外部機器から出力されるデータに基づく表示を前記表示部に表示させる、及び／又は、前記外部機器から出力されるデータに基づく音声出力を前記音声出力部から出力させることを特徴とする。
【００３３】
これにより、外部機器から出力されるデータに基づく映像や音声をユーザが視聴することができる。
【００３４】
さらに、前記外部機器から第２のケーブルを介して取得するデータは映像データ及び／又は音楽データであることが好ましい。
【発明の効果】
【００３５】
本願発明では、外部機器（ｉＰｏｄ（登録商標）など）と第１の（デジタル通信を行うための）ケーブルおよび第２の（アナログ通信を行うための）ケーブルを介して接続される電子機器において、第１の（デジタル通信を行うための）ケーブルおよび第２の（アナログ通信を行うための）ケーブルが正常に外部機器および電子機器に接続されているか否かを判定し、判定結果に応じた処理を行うので、アナログ通信を行うことができない場合（アナログ通信を行うためのケーブルが正常に接続されていない場合）であれば、例えば、アナログ通信を必要とする映像データのリストを表示しなくすることで、映像データの再生を受け付けないなどの処理を行うことが可能となる。
【図面の簡単な説明】
【００３６】
【図１】本発明の実施例にかかる全体像の模式図である。
【図２】本発明の実施例にかかる各装置のブロック図である。
【図３】本発明の実施例にかかるナビゲーション装置の制御部が行う通信ケーブルの接続状態を検出する制御動作を示すフローチャートである。
【図４】本発明の実施例にかかるナビゲーション装置の制御部が行う通信ケーブルの接続状態に応じた制御動作を示すフローチャートである。
【図５】本発明の実施例にかかるナビゲーション装置の表示部に表示されるメニュー画面及びオプション画面の模式図である。
【発明を実施するための形態】
【００３７】
以下、本発明の具体例を実施例及び図面を用いて詳細に説明する。なお、以下に示す実施例においては、電子機器の一例としてナビゲーション装置を例示し、外部機器の一例としてｉＰｏｄ（登録商標）を例示するが、本願発明は、この実施例に限ることなく、請求の範囲に含まれるその他の装置にも適用可能である。例えば、電子機器はナビゲーション機能を有していなくともよく、外部機器は、ｉＰｏｄ（登録商標）でなくても音楽データ・映像データを記憶・再生する装置であればよい。
【実施例】
【００３８】
まず、図１の模式図を参照して説明を行う。ナビゲーション装置１は、通信ケーブル６および、ＵＳＢ延長ケーブル５を介してｉＰｏｄ（登録商標）２に接続される。ここで、通信ケーブル６は、デジタル通信のためのＵＳＢケーブル３、アナログ通信のためのアナログケーブル４で構成される。
【００３９】
デジタル通信のためのＵＳＢケーブル３とアナログ通信のためのアナログケーブル４は、ナビゲーション装置１側では夫々別のコネクタで構成され、ｉＰｏｄ（登録商標）２側では、ＵＳＢケーブル３とアナログケーブル４とが一体となったコネクタで構成されている。
【００４０】
夫々別のコネクタで構成されたＵＳＢケーブル３とアナログケーブル４がナビゲーション装置１に接続され、且つ、一体となったコネクタで構成されたＵＳＢケーブル３とアナログケーブル４がｉＰｏｄ（登録商標）２に接続されることで、ナビゲーション装置１がｉＰｏｄ（登録商標）２に記憶された映像データを取得することが可能となる。
【００４１】
なお、本実施例では、ナビゲーション装置１にＵＳＢ延長ケーブル５が接続され、ＵＳＢ延長ケーブル５のもう一端にＵＳＢケーブル３が接続されることにより、ナビゲーション装置１とＵＳＢケーブル３が接続されるが、これは、後述するデジタル入出力部１５（ＵＳＢポート）がナビゲーション装置１の背面に設けられた場合を想定したものであるため、これに限ることはなく、デジタル入出力部１５がナビゲーション装置１の前面にある場合などは、ＵＳＢ延長ケーブル５を用いることなく、ナビゲーション装置１にＵＳＢケーブル３を直接接続してもよい。
【００４２】
また、本実施例では、アナログ通信を行うためのアナログケーブル４と記載を行うが、アナログ通信とは、ナビゲーション装置１とｉＰｏｄ（登録商標）２の双方向のアナログ通信ではなく、ｉＰｏｄ（登録商標）２から出力される映像データなどをナビゲーション装置１へ伝送する一方向のアナログ通信であればよい。
【００４３】
次に、図２のブロック図を用いて、各装置および各ケーブルの詳細な説明を行う。まず、ナビゲーション装置１の説明を行う。
【００４４】
ナビゲーション装置１は、制御部１０、音声出力部１１、表示部１２、入力部１３、アナログ入力部１４、デジタル入出力部１５を備えて構成される。
【００４５】
制御部１０は、ＣＰＵ、ＲＯＭ、ＲＡＭ（いずれも図示せず）からなるプロセッサで構成され、ＲＯＭ、ＲＡＭに記録された制御プログラムに従ってナビゲーション装置１の各部の動作を制御・統括するものである。また、制御部１０は、地図情報記憶部（図示せず）に記憶された地図情報（ノードデータ、リンクデータなど）に基づき、ユーザが入力部１３を介して指定した目的地までの最適な経路を探索する。経路探索は、出発地またはＧＰＳ受信機などから構成される現在位置検出部（図示せず）により検出された現在位置に対応する道路のノードから、目的地に対応するノードに至る間のリンクをダイクストラ法等の手法によって探索し、リンク長（リンクコスト）や所要時間を累積し、総リンク長（走行距離）または総所要時間が最短となる経路を探索する。
【００４６】
音声出力部１１は、経路案内に必要な音声ガイダンスや、その他、ナビゲーション装置１の操作に必要な音声、警告等のブザー音等を出力するスピーカなどで構成される。音声出力部１１は、上記の音声などの他に、ｉＰｏｄ（登録商標）２から取得された音楽データに基づく音声出力を行う。なお、音声出力部１１が、スピーカを備えなくとも、ナビゲーション装置１が設けられる車両に備えられたスピーカを介して音声出力するものであってもよい。
【００４７】
表示部１２は、地図情報に基づく地図画像や制御部１０により探索された経路の画像、現在位置を示す現在位置マーク等を表示し、また入力部１３による入力作業のためのメニュー画面やオプション画面などを表示するものであり、例えば、液晶パネルによって構成される。また、表示部１２は、ｉＰｏｄ（登録商標）２から取得された映像データに基づく表示を行う（静止画や動画を表示する）。なお、表示部１２は、タッチパネルとすることで、入力部１３の機能を持たせることもできる。
【００４８】
入力部１３は、ユーザによって操作され、出発地、目的地、経由地等の経路探索条件を入力するためのものである。また、入力部１３は、ｉＰｏｄ（登録商標）２に記憶された音楽データや映像データのうち、再生したいデータ（聞きたい曲、見たい映像）を選択するためのものである。入力部１３は、上記のタッチパネル以外にも、ナビゲーション装置１に設けられたハードキーで構成されてもよいし、リモコンなどで構成されてもよい。
【００４９】
アナログ入力部１４は、ｉＰｏｄ（登録商標）２からアナログ出力される映像データ及び／又は音楽データを受信する通信インターフェースである。アナログ入力部１４には、アナログケーブル４が接続され、ｉＰｏｄ（登録商標）２からアナログケーブル４を介して出力される映像データ及び／音楽データ（共にアナログ）を受信する。
【００５０】
デジタル入出力部１５は、ｉＰｏｄ（登録商標）２とデジタル通信を行うための通信インターフェースである。本実施例では、ＵＳＢポートなどで構成される。デジタル入出力部１５には、ＵＳＢ延長ケーブル５が接続され、ＵＳＢ延長ケーブル５の他方の一端にＵＳＢケーブル３が接続され、且つ、ＵＳＢケーブル３の一端がｉＰｏｄ（登録商標）２に接続されることにより、デジタル通信（ＵＳＢ通信）が行われ、ｉＰｏｄ（登録商標）２から音楽データ（デジタル）を受信可能となる。なお、上記のとおり、ＵＳＢ延長ケーブル５を用いることなく、ＵＳＢケーブル３がデジタル入出力部１５に接続されてもよい。
【００５１】
次に、ｉＰｏｄ（登録商標）２の説明を行う。ｉＰｏｄ（登録商標）２は、制御部２０、音声出力部２１、表示部２２、入力部２３、アナログ出力部２４、デジタル入出力部２５、映像／音楽データ記憶部２６を備えて構成される。
【００５２】
制御部２０は、ＣＰＵ、ＲＯＭ、ＲＡＭ（いずれも図示せず）からなるプロセッサで構成され、ＲＯＭ、ＲＡＭに記録された制御プログラムに従ってｉＰｏｄ（登録商標）２の各部の動作を制御・統括するものである。
【００５３】
音声出力部２１は、映像／音楽データ記憶部２６に記憶された音楽データの音声を出力するヘッドホン端子などで構成される。なお、音声出力部２１はスピーカを備え、スピーカを介して音声出力するものであってもよい。
【００５４】
表示部２２は、入力部２３による入力作業のための画面を表示するものであり、例えば、液晶パネルによって構成される。また、表示部２２は、映像／音楽データ記憶部２６に記憶された映像データに基づく表示を行う（静止画や動画を表示する）。なお、表示部２２は、タッチパネルとすることで、入力部２３の機能を持たせることもできる。
【００５５】
入力部２３は、ユーザによって操作され、映像／音楽データ記憶部２６に記憶された音楽データや映像データのうち、再生したいデータ（聞きたい曲、見たい映像）を選択するためのものである。入力部２３は、上記のタッチパネル以外にも、ｉＰｏｄ（登録商標）２に設けられたハードキーで構成されてもよいし、リモコンなどで構成されてもよい。
【００５６】
アナログ出力部２４は、映像／音楽データ記憶部２６から読み出され、制御部２０によってアナログ変換された映像データ及び／又は音楽データをナビゲーション装置１へ出力する通信インターフェースである。アナログ出力部２４には、アナログケーブル４が接続され、アナログケーブル４を介して映像データ及び／又は音楽データ（共にアナログ）をナビゲーション装置１へ出力する。
【００５７】
デジタル入出力部２５は、ナビゲーション装置１とデジタル通信を行うための通信インターフェースである。デジタル入出力部２５には、ＵＳＢケーブル３が接続され、ＵＳＢケーブル３の他方の一端にＵＳＢ延長ケーブル５が接続され、且つ、ＵＳＢ延長ケーブル５の一端がナビゲーション装置１に接続されることにより、デジタル通信（ＵＳＢ通信）が行われ、ナビゲーション装置１へ音楽データ（デジタル）を出力することが可能となる。
【００５８】
なお、本実施例では、ｉＰｏｄ（登録商標）２側ではＵＳＢケーブル３とアナログケーブル４とが一体となったコネクタで構成されているため、アナログ出力部２４及びデジタル入出力部２５も一体となったコネクタで構成されている。
【００５９】
映像／音楽データ記憶部２６は、映像データ及び／又は音楽データを記憶するための記憶媒体であり、例えば、半導体メモリなどで構成される。また、映像／音楽データ記憶部２６は、プレイリストも記憶する。プレイリストには、映像プレイリストと、音楽プレイリストの２種類のリストが存在する。映像プレイリストは、映像データのみ、及び／又は映像データと当該映像データに対応付けられた音楽データから構成される。音楽プレイリストは音楽データのみで構成される。なお、音楽プレイリストには、映像データに対応付けられた音楽データを含んでもよい。
【００６０】
次に、各ケーブルの説明を行う。まず、ＵＳＢケーブル３は、電源線（Ｖ）、通信線（Ｄ＋）、通信線（Ｄ−）、ＧＮＤ線で構成され、ｉＰｏｄ（登録商標）２は、ナビゲーション装置１から電源線（Ｖ）を介して電力供給を受け、通信線（Ｄ＋）及び通信線（Ｄ−）を用いてデジタル通信を行う。なお、ＵＳＢ延長ケーブル５も同様の構成である。
【００６１】
なお、本実施例においては、電源線や通信線などと説明を行うが、この電源線や通信線などの導線には、コネクタの基板上の導電パターンやピン（端子）も含まれるものとして説明を行う。
【００６２】
アナログケーブル４は、ステレオの左右のアナログ音楽データを伝送するためのアナログ音声信号線（音Ｌ、音Ｒ）、アナログ映像データを伝送するためのコンポジット映像信号線（アナログ映像信号線）（ｖｉｄｅｏ）、ＧＮＤ線から構成される。ＧＮＤ線は使用しなくてもよいが、ＧＮＤ線により、他の線（例えば、アナログ音声信号線（音Ｌ）とアナログ映像信号線（ｖｉｄｅｏ））の干渉を防止することができる。
【００６３】
なお、本実施例においては、アナログケーブル４に、さらに短絡線（Ａ）が設けられる。このアナログケーブル４の短絡線（Ａ）は、後述するアナログケーブル４の接続状態を検出する際に用いられる。
【００６４】
以上が本実施例における各装置と各ケーブルの詳細な説明である。上記説明したような通信ケーブル６（ＵＳＢケーブル３及びアナログケーブル４）を用いる場合、通信ケーブル６の接続状態に応じた処理が必要である。
【００６５】
通信ケーブル６が正常に接続されている場合であれば、すなわち、ＵＳＢケーブル３がｉＰｏｄ（登録商標）２及びＵＳＢ延長ケーブル５に接続され（ＵＳＢ延長ケーブル５のもう一端はナビゲーション装置１に接続され）、且つ、アナログケーブル４がｉＰｏｄ（登録商標）２及びナビゲーション装置１に接続されている場合であれば、ナビゲーション装置１が音楽データをＵＳＢケーブル３及びＵＳＢ延長ケーブル５を介してデジタル通信（ＵＳＢ通信）でｉＰｏｄ（登録商標）２から取得すること、及び、アナログケーブル４を介して、映像データ及び／又は音楽データをｉＰｏｄ（登録商標）２から取得することが可能である。このような場合にのみ、ナビゲーション装置１の制御部１０は、デジタル通信を用いて音楽データをデジタル出力するようにｉＰｏｄ（登録商標）２へ指示（操作信号を出力）し、また、映像データのみ、又は、映像データと当該映像データに対応付けられた音楽データとを、アナログ出力するようにｉＰｏｄ（登録商標）２へ指示（操作信号を出力）することが好ましい。そして、指示を受けた（操作信号を取得した）ｉＰｏｄ（登録商標）２は、受けた指示（取得した操作信号）に基づいて音楽データをデジタル出力する、又は、映像データや当該映像データに対応付けられた音楽データをアナログ出力する。
【００６６】
一方、例えば、ＵＳＢケーブル３が正常に接続され、アナログケーブル４が正常に接続されていない場合（例えばアナログケーブル４がナビゲーション装置１のアナログ入力部１４に接続されていない場合など）、ｉＰｏｄ（登録商標）２がアナログ出力を行ってもナビゲーション装置１は、ｉＰｏｄ（登録商標）２からアナログ出力された映像データ、又は、映像データと当該映像データに対応付けられた音楽データを受信することができない。
【００６７】
そのため、ナビゲーション装置１の制御部１０は、デジタル通信を用いて音楽データを出力するようにｉＰｏｄ（登録商標）２へ指示（操作信号を出力）するが、映像データのみ、又は、映像データと当該映像データに対応付けられた音楽データとをアナログ出力するようにｉＰｏｄ（登録商標）２へ指示（操作信号を出力）しないことが好ましい。そこで、例えば、アナログ出力が必要な映像データなどのリスト（映像プレイリスト）を表示部に表示しないようにすることで、ユーザがアナログ出力が必要な映像データなどの表示要求を入力部１３を介して行えないようにすることが好ましい。
【００６８】
このように通信ケーブル６の接続状態に応じた処理を行うことで、映像データの表示要求を入力部１３を介して行ったのに、映像が表示されない（映像データが受信できない）などといった誤動作を防止することが可能である。
【００６９】
次に、図３のフローチャートを用いて、ナビゲーション装置１の制御部１が行う通信ケーブル６の接続状態を検出する制御動作の説明を行う。
【００７０】
まず、制御部１０は、ユーザがＵＳＢ通信機器（ｉＰｏｄ（登録商標）２を含む）をＵＳＢケーブル３及びＵＳＢ延長ケーブル５を介してデジタル入出力部１５へ接続したか否かを判定する（ＵＳＢケーブル３が正常に接続されたか否かを判定する）（ステップＳ３０１）。判定方法は、従来知られている種々の方法を用いることが可能であり、例えば、ＵＳＢケーブル３が接続された際に、ｉＰｏｄ（登録商標）２から出力される応答信号をデジタル入出力部１５を介して取得したか否かで判定する。
【００７１】
ＵＳＢ通信機器が接続されると（ステップＳ３０１のＹＥＳ）、制御部１０は、デジタル入出力部１５、ＵＳＢ延長ケーブル５及びＵＳＢケーブル３を介して、デジタル通信を行い、接続されたＵＳＢ通信機器から送信される識別情報に基づき、ＵＳＢ通信機器の種別を識別し、ＵＳＢ通信機器の種別がｉＰｏｄ（登録商標）２か否かを判定する（ステップＳ３０２）。
【００７２】
ＵＳＢ通信機器の種別がｉＰｏｄ（登録商標）２でない場合（ステップＳ３０２のＮＯ）、ＵＳＢ通信と判定し処理を終了する（ステップＳ３０４）。すなわち、ＵＳＢ通信機器の種別がｉＰｏｄ（登録商標）２でない場合、ＵＳＢ通信機器はデジタル通信（ＵＳＢ通信）のみを行う半導体メモリなどの記憶媒体やパソコン等である。
【００７３】
一方、ＵＳＢ通信機器の種別がｉＰｏｄ（登録商標）２である場合（ステップＳ３０２のＹＥＳ）、アナログケーブル４内の短絡線（Ａ）に基づき、アナログケーブル４が正常に接続されているか否か、すなわち、アナログケーブル４がアナログ入力部１４及びアナログ出力部２４に接続されているか否かを判定する（ステップＳ３０３）。
【００７４】
アナログケーブル４内の短絡線（Ａ）の一端（ｉＰｏｄ（登録商標）２側の一端）は、ｉＰｏｄ（登録商標）２に設けられたＧＮＤ端子に対応しているため、アナログケーブル４（通信ケーブル６）が、ｉＰｏｄ（登録商標）２に接続されると、アナログケーブル４内の短絡線（Ａ）が短絡する。そのため、制御部１０は、アナログケーブル４内の短絡線（Ａ）がＧＮＤに落ちたか否か（短絡したか否か）を検出することで、アナログケーブル４が正常に接続されているか否かを判定する。
【００７５】
アナログケーブル４が正常に接続されている場合（ステップＳ３０３のＹＥＳ）、ｉＰｏｄ（登録商標）２のＵＳＢ通信及びアナログ通信が可能な状態と判定し処理を終了する（ステップＳ３０５）。
【００７６】
一方、アナログケーブル４が正常に接続されていない場合（ステップＳ３０３のＮＯ）、ｉＰｏｄ（登録商標）２のＵＳＢ通信が可能な状態と判定し処理を終了する（ステップＳ３０６）。すなわち、ステップＳ３０６では、デジタル通信（ＵＳＢ通信）を用いてｉＰｏｄ（登録商標）２から音楽データは取得できるが、アナログ通信を用いて映像データを取得できない接続状態と判定する。
【００７７】
次に、図４のフローチャート及び図５の模式図を参照して、ナビゲーション装置１の制御部１が行う通信ケーブル６の接続状態に応じた制御動作の説明を行う。
【００７８】
まず、制御部１０は、図３のフローチャートにおいて判定したＵＳＢ通信（ｉＰｏｄ（登録商標）２のＵＳＢ通信＋アナログ通信、ｉＰｏｄ（登録商標）２のＵＳＢ通信を含む）か否かを判定する（ステップＳ４０１）。
【００７９】
ＵＳＢ通信でない場合（ステップＳ４０１のＮＯ）、すなわち、ＵＳＢ通信機器が接続されていない場合、表示部１２に表示されるメニュー画面のアイコンのうち「ＵＳＢ」アイコンと「ｉＰｏｄ（登録商標）」アイコンをグレーアウト表示させる（ステップＳ４０２）。
【００８０】
図５の（Ａ）、（Ｂ）、（Ｃ）は表示部１２に表示されるメニュー画面の一例であり、図５（Ａ）は、ステップＳ４０２において、「ＵＳＢ」アイコンと「ｉＰｏｄ（登録商標）」アイコンをグレーアウト表示させたメニュー画面の一例である。
【００８１】
なお、グレーアウト表示させたアイコン（ソフトキー）は、視認性の変化だけでなく、当該グレーアウト表示させたアイコンをユーザが入力部１３を介して選択しても、制御部１０は当該グレーアウト表示させたアイコンに対応付けられた制御（例えば、表示画面遷移等）を行わない。なお、以下の説明では、グレーアウト表示を解除した表示、すなわち、アイコンをユーザが入力部１３を介して選択すれば、当該アイコンに応じた制御を行うことを示す表示を、単に「アイコンを表示する」として説明を行う。
【００８２】
一方、ＵＳＢ通信である場合（ステップＳ４０１のＹＥＳ）、すなわち、ＵＳＢ通信機器が接続されている場合、制御部１０は、ｉＰｏｄ（登録商標）２のＵＳＢ通信（ｉＰｏｄ（登録商標）２のＵＳＢ通信＋アナログ通信を含む）か否かを判定する（ステップＳ４０３）。
【００８３】
ｉＰｏｄ（登録商標）２のＵＳＢ通信でない場合（ステップＳ４０３のＮＯ）、すなわち、デジタル入出力部１５にＵＳＢケーブル等を介してｉＰｏｄ（登録商標）２でないＵＳＢ通信機器が接続されている場合、「ＵＳＢ」アイコンを表示し、「ｉＰｏｄ（登録商標）」アイコンをグレーアウト表示させる（ステップＳ４０４）（図５（Ｂ）参照）。
【００８４】
すなわち、「ＵＳＢ」アイコンを入力部１３を介して選択可能とし、入力部１３を介して「ＵＳＢ」アイコンを選択すると、制御部１０は、「ＵＳＢ」アイコンに応じた制御（例えば、ＵＳＢ通信機器がＵＳＢメモリであればＵＳＢメモリに記憶された音楽データのリスト表示など）を行う。
【００８５】
一方、ｉＰｏｄ（登録商標）２のＵＳＢ通信である場合（ステップＳ４０３のＹＥＳ）、すなわち、デジタル入出力部１５にＵＳＢケーブル等を介してｉＰｏｄ（登録商標）２が接続されている場合、制御部１０は、ｉＰｏｄ（登録商標）２のＵＳＢ通信＋アナログ通信か否かを判定する（ステップＳ４０５）。
【００８６】
ｉＰｏｄ（登録商標）２のＵＳＢ通信＋アナログ通信でない場合、（ステップＳ４０５のＮＯ）、すなわち、デジタル入出力部１５にＵＳＢケーブル等を介してｉＰｏｄ（登録商標）２が接続されているが、通信ケーブル６ではくｉＰｏｄ（登録商標）２に対応したＵＳＢケーブル（アナログケーブル４が一体となっていないＵＳＢケーブル）を用いて、接続している、又は、通信ケーブル６を用いているが、アナログケーブル４が正常に接続されていない場合であるため、ｉＰｏｄ（登録商標）２からアナログ出力される映像データなどを取得することができない場合、「ＵＳＢ」アイコンをグレーアウト表示し、「ｉＰｏｄ（登録商標）」アイコンを表示させる（ステップＳ４０６）（図５（Ｃ）参照）。
【００８７】
すなわち、「ｉＰｏｄ（登録商標）」アイコンを入力部１３を介して選択可能とし、入力部１３を介して「ｉＰｏｄ（登録商標）」アイコンを選択すると、制御部１０は、「ｉＰｏｄ（登録商標）」アイコンに応じた制御（例えば、ｉＰｏｄ（登録商標）２の映像／音楽データ記憶部２６記憶された音楽データのリスト（音楽プレイリスト）表示など）を行う。
【００８８】
また、制御部１０は、音楽プレイリストを表示部１２に表示しているときに、ユーザが入力部１３を介して所定の操作（例えば、オプションボタンを選択）をすることで表示させるオプション画面（図５の（Ｄ）、（Ｅ））のうち、「ミュージック」アイコンを表示させ、「ビデオ」アイコンをグレーアウト表示させる（図５（Ｄ）参照）。
【００８９】
「ミュージック」アイコンは、音楽プレイリストを表示させるためのアイコンであり、「ビデオ」アイコンは、映像プレイリストを表示させるためのアイコンである。なお、この音楽プレイリスト及び／又は映像プレイリストは、ＵＳＢケーブル３を介してデジタル通信（ＵＳＢ通信）を行いナビゲーション装置１の制御部１０が取得する。
【００９０】
なお、本実施例では、「ｉＰｏｄ（登録商標）」アイコンに応じた制御として、音楽プレイリストの表示を例示するが、これに限ることはなく、入力部１３を介してオプション画面に表示された「ミュージック」アイコン及び「ビデオ」アイコンのうち、最後に選択されたアイコンを記憶（ＲＡＭ等）しておき、最後に選択されたアイコンに基づき「ｉＰｏｄ（登録商標）」アイコンに応じた制御を行ってもよい。例えば、最後に「ビデオ」アイコンを選択された後に、「ｉＰｏｄ（登録商標）」アイコンを選択された場合に表示部１２に映像プレイリストを表示してもよい。
【００９１】
ここで、ユーザが入力部１３を介して、表示された音楽プレイリストの中から、１以上の音楽データを選択すると、制御部１０は、デジタル入出力部１５、ＵＳＢ延長ケーブル５、ＵＳＢケーブル３及びデジタル入出力部２５を介して、制御部２０へ、当該選択された音楽データをデジタル出力するように指示（操作信号の出力）を行う。
【００９２】
指示（操作信号）を受けた制御部２０は、指示（操作信号）に基づき映像／音楽データ記憶部２６から該当する音楽データを読み出し、読み出した音楽データをデジタル入出力部２５から出力する。
【００９３】
デジタル入出力部２５から出力された音楽データ（デジタル）は、ＵＳＢ延長ケーブル５及びＵＳＢケーブル３を介してデジタル入出力部１５に入力される。デジタル入出力部１５に入力された音楽データは、制御部１０にてアナログ変換されて音声出力部１１へ供給され音声出力部１１から音声出力される。
【００９４】
一方、ｉＰｏｄ（登録商標）２のＵＳＢ通信＋アナログ通信である場合、（ステップＳ４０５のＹＥＳ）、すなわち、通信ケーブル６（ＵＳＢケーブル３及びアナログケーブル４）が正常に接続されており、ｉＰｏｄ（登録商標）２からアナログ出力される映像データなどを取得することができる状態の場合、「ＵＳＢ」アイコンをグレーアウト表示し、「ｉＰｏｄ（登録商標）」アイコンを表示させる（ステップＳ４０７）（図５（Ｃ）参照）。
【００９５】
また、上記のオプション画面において、「ミュージック」アイコンと「ビデオ」アイコンを表示させる（図５（Ｅ）参照）。
【００９６】
ユーザが入力部１３を介して「ビデオ」アイコンを選択すると、制御部１０は、映像プレイリストを表示部１２に表示させ、さらにユーザが入力部１３を介して、表示された映像プレイリストの中から、１以上のデータ（例えば映像データ）を選択することで、制御部１０は、デジタル入出力部１５、ＵＳＢ延長ケーブル５、ＵＳＢケーブル３及びデジタル入出力部２５を介して、制御部２０へ、当該選択された映像データをアナログ出力するように指示（操作信号の出力）を行う。
【００９７】
指示（操作信号）を受けた制御部２０は、指示（操作信号）に基づき映像／音楽データ記憶部２６から該当する映像データを読み出し、読み出した映像データをアナログ変換し、アナログ出力部２４から出力する。
【００９８】
アナログ出力部２４から出力された映像データ（アナログ）は、アナログケーブル４を介してアナログ入力部１４に入力される。アナログ入力部１４に入力された映像データ（アナログ）は、表示部１２に供給され表示部１２に映像データに基づく映像が表示される。
【００９９】
なお、映像データに音楽データが対応付けられている場合も同様に、ｉＰｏｄ（登録商標）２から映像データと当該映像データに対応付けられている音楽データとがアナログ出力され、表示部１２に当該映像データに基づく映像が表示され、音声出力部１１から当該映像データに対応付けられている音楽データに基づく音声出力がなされる。
【０１００】
以上説明した通り、ｉＰｏｄ（登録商標）２とデジタル通信を行うためのケーブルおよびアナログ通信を行うためのケーブルを介して接続されるナビゲーション装置１において、デジタル通信を行うためのＵＳＢケーブル３およびアナログ通信を行うためのアナログケーブル４が正常にｉＰｏｄ（登録商標）２およびナビゲーション装置１に接続されているか否かを判定し、判定結果に応じた処理を行うことで、アナログ通信を行えない状態で、アナログ出力指示をｉＰｏｄ（登録商標）２に行ってしまうなどの誤動作を防止することができる。
［他の実施例、変形例］
本願発明は、上記実施例以外にも種々の変更が可能である。例えば、上記実施例において、「ｉＰｏｄ（登録商標）」アイコンに応じた制御として、音楽プレイリストの表示、又は、最後に選択されたアイコン（「ミュージックアイコン」又は「ビデオ」アイコン）に基づくプレイリスト（音楽又は映像プレイリスト）の表示を行う場合を例示したが、これに限ることはなく、入力部１３を介して「ｉＰｏｄ（登録商標）」アイコンが選択された場合に、アナログケーブル４が正常にｉＰｏｄ（登録商標）２およびナビゲーション装置１に接続されているか否かに基づいて、表示するプレイリスト（音楽又は映像プレイリスト）を選択してもよい。
【０１０１】
すなわち、上記の通り、ＵＳＢケーブル３が正常に接続され、接続されたＵＳＢ通信機器がｉＰｏｄ（登録商標）２であれば、「ｉＰｏｄ（登録商標）」アイコンが表示され、入力部１３を介して、「ｉＰｏｄ（登録商標）」アイコンが選択可能となる。この場合において、アナログケーブル４が正常にｉＰｏｄ（登録商標）２およびナビゲーション装置１に接続されていなければ、アナログケーブル４を介して映像データなどを取得することができない。そのため、例え最後に選択されたアイコンが「ビデオ」アイコンであっても、音楽プレイリストの表示を行うことが好ましい。
【０１０２】
一方、アナログケーブル４が正常にｉＰｏｄ（登録商標）２およびナビゲーション装置１に接続されていれば、アナログケーブル４を介して映像データなどを取得することができるので、映像プレイリストの表示を行うことが好ましい。ただし、アナログケーブル４が正常に接続されている場合は、音楽プレイリストを表示してもよいため、最後に選択されたアイコン（「ミュージックアイコン」又は「ビデオ」アイコン）に基づくプレイリスト（音楽又は映像プレイリスト）の表示を行ってもよい。
【０１０３】
そのほかにも、上記実施例では、「ビデオ」アイコンは、映像プレイリストを表示させるためのアイコンと説明したが、映像プレイリストに加えて、音楽プレイリストを表示させてもよい。この場合、上記特許文献１のように１以上の映像データを含むデータの再生指示が入力部１３を介してなされると、制御部１０は、ｉＰｏｄ（登録商標）２にアナログ出力を指示（アナログ出力を示す操作信号を出力）し、映像データを含まないデータの再生指示が入力部１３を介してなされると、制御部１０は、ｉＰｏｄ（登録商標）２にデジタル出力を指示（デジタル出力を示す操作信号を出力）してもよい。また、映像データが含まれるか否かにかかわらずアナログ出力を指示（アナログ出力を示す操作信号を出力）してもよい。
【０１０４】
また、ＵＳＢケーブル３及びアナログケーブル４（すなわち、通信ケーブル６）が正常に接続され、映像プレイリストのうち、音楽データが対応付けられている映像データ（例えば、ミュージッククリップや動画など）がユーザにより選択された場合、上記実施例では、選択された映像データと当該映像データに対応付けられた音楽データが共にアナログ出力される場合を例示したが、これに限ることはなく、制御部１０は、選択された映像データをアナログ出力するようにｉＰｏｄ（登録商標）２に指示（操作信号を出力）し、また、当該映像データに対応付けられた音楽データをデジタル出力するようにｉＰｏｄ（登録商標）２に指示（操作信号を出力）してもよく、この場合、アナログ入力部１４に入力された映像データ（アナログ）は、表示部１２に供給され表示部１２に映像データに基づく映像が表示され、デジタル入出力部１５に入力された音楽データは、制御部１０にてアナログ変換されて音声出力部１１へ供給され音声出力部１１から音声出力される。
【０１０５】
さらに、上記実施例では、アナログケーブル１４が正常に接続されているか否かの判定方法として、アナログケーブル１４内の短絡線（Ａ）が短絡したか否かで判定を行ったが、これに限ることはなく、例えば、アナログ入力部１４に接触センサを設け、また、アナログ出力部２４にも接触センサを設け、アナログケーブル１４内に当該アナログ出力部２４に設けられた接触センサからの出力を伝送する信号線を設ける構成とし、アナログ入力部１４に設けられた接触センサ及びアナログ出力部２４に設けられた接触センサからの出力に基づいて判定してもよい。
【０１０６】
さらに上記実施例では、ｉＰｏｄ（登録商標）２を例示したため、デジタル通信を行うためのＵＳＢケーブル３を介してｉＰｏｄ（登録商標）２へ指示（操作信号を出力）し、ｉＰｏｄ（登録商標）２が指示に応じたデータ（映像データなど）をアナログ通信を行うためのアナログケーブル４を介して出力する場合を記載したが、例えば、２つのデジタル通信を行うためのＵＳＢケーブルを、２つともナビゲーション装置１などの電子機器とｉＰｏｄ（登録商標）２などの外部機器とに接続し、ナビゲーション装置１などの電子機器が、一方のＵＳＢケーブルを介してｉＰｏｄ（登録商標）２などの外部機器へ指示（操作信号を出力）し、外部機器から他方のＵＳＢケーブルを介して出力されるデータ（指示に応じたデータ）を取得する場合にも本発明は適用可能である。
【０１０７】
すなわち、外部機器へ指示（操作信号を出力）するための第１のケーブル（上記実施例ではＵＳＢケーブル３）と、外部機器から指示に応じて出力されるデータを取得するための第２のケーブル（上記実施例では、アナログケーブル４）が異なるケーブルであれば、第１のケーブルおよび第２のケーブルが共に正常に接続されている場合のみ、ナビゲーション装置１などの電子機器が第２のケーブルを介して外部機器から出力されるデータを取得することが可能となる。
【０１０８】
そのため、上記実施例と同様に、第１のケーブルと第２のケーブルが正常に接続されているか否かを判定し（例えば短絡線（Ａ）が短絡したか否かに基づき）、判定結果に応じた処理を行うことで、第２のケーブルが正常に接続されていない状態で、データを第２のケーブルを介して出力するように外部機器へ指示（操作信号を出力）してしまうなどを防止することが可能となる。
【０１０９】
なお、アナログケーブル４内のＧＮＤ線（ナビゲーション装置１内及び／又はｉＰｏｄ（登録商標）２内にて短絡するＧＮＤ線）は、例えば、一端がナビゲーション装置１内で短絡するＧＮＤ端子に接続されるようにナビゲーション装置１側のコネクタに設けられ、もう一端は、ｉＰｏｄ（登録商標）２内で短絡するＧＮＤ端子に接続されるように、ｉＰｏｄ（登録商標）２側のコネクタに設けられる。また、これに限ることはなく、このＧＮＤ線は、ｉＰｏｄ（登録商標）２内で短絡するＧＮＤ端子に直接接続されなくとも、例えば、通信ケーブル６のｉＰｏｄ（登録商標）２側のコネクタ内の基板上などでＵＳＢケーブル３内のＧＮＤ線に接続され、ＵＳＢケーブル３内のＧＮＤ線を介してｉＰｏｄ（登録商標）２内で短絡するＧＮＤ端子に接続されてもよく、このような場合においては、アナログケーブル４とは、上記のアナログ音声信号線（音Ｌ、音Ｒ）、アナログ映像信号線（ｖｉｄｅｏ）、短絡線（アナログケーブル４の接続状態を検出する短絡線）、及び、ＧＮＤ線（アナログケーブル４の接続状態を検出する短絡線とは異なるＧＮＤ線）に加え、ＧＮＤ線（アナログケーブル４の接続状態を検出する短絡線とは異なるＧＮＤ線）が接続されるＵＳＢケーブル３内のＧＮＤ線を含んでも良い。すなわち、このような場合では、ＵＳＢケーブル３内のＧＮＤ線は、ＵＳＢケーブル３、且つ、アナログケーブル４の両方に含まれるとしてもよい。
【０１１０】
さらに、上記実施例において、ＵＳＢ通信でない場合（ステップＳ４０１のＮＯ）、すなわち、ＵＳＢ通信機器が接続されていない場合、及び、ｉＰｏｄ（登録商標）２のＵＳＢ通信である場合（ステップＳ４０３のＹＥＳ）、すなわち、ＵＳＢケーブル３を用いてナビゲーション装置１とｉＰｏｄ（登録商標）２が接続されている場合に、表示部１２に表示されるメニュー画面のアイコンのうち「ＵＳＢ」アイコンをグレーアウト表示させることを例示したが、これに限ることはなく、「ＵＳＢ」アイコンをグレーアウト表示させずに、当該「ＵＳＢ」アイコンが入力部１３を介して選択された場合にＵＳＢ通信機器（ｉＰｏｄ（登録商標）２を含む）の接続状況を表示させるなどして報知させてもよい。
【０１１１】
すなわち、ＵＳＢ通信機器が接続されているか否か、ＵＳＢケーブル３を用いてｉＰｏｄ（登録商標）２が接続されているか否かに関係なく、「ＵＳＢ」アイコンを表示させ、当該「ＵＳＢ」アイコンが入力部１３を介して選択された場合に、ＵＳＢ通信機器が接続されていなければ、例えば「ＵＳＢ通信機器が接続されていません。」などのメッセージの表示や音声出力を表示部１２や音声出力部１１を介して行ってもよく、また、当該「ＵＳＢ」アイコンが入力部２３を介して選択された場合に、ＵＳＢケーブル３を用いてｉＰｏｄ（登録商標）２が接続されていれば、例えば、「ｉＰｏｄが接続されているため、ｉＰｏｄのアイコンを選択してください。」などのメッセージの表示や音声出力を表示部１２や音声出力部１１を介して行ってもよい。
【符号の説明】
【０１１２】
１    ・・・ナビゲーション装置
２    ・・・ｉＰｏｄ（登録商標）
３    ・・・ＵＳＢケーブル
４    ・・・アナログケーブル
５    ・・・ＵＳＢ延長ケーブル
６    ・・・通信ケーブル
１０  ・・・制御部
１１  ・・・音声出力部
１２  ・・・表示部
１３  ・・・入力部
１４  ・・・アナログ入力部
１５  ・・・デジタル入出力部
２０  ・・・制御部
２１  ・・・音声出力部
２２  ・・・表示部
２３  ・・・入力部
２４  ・・・アナログ入力部
２５  ・・・デジタル入出力部
２６  ・・・映像／音楽データ記憶部
【図１】
2012136133.tif 000003
【図２】
2012136133.tif 000004
【図３】
2012136133.tif 000005
【図４】
2012136133.tif 000006
【図５】
2012136133.tif 000007